(57)【要約】【課題】流量計を設置する際に、所定の大きさの脈動が発生しているか否かを設置作業者が容易に判定することができる流量計を提供する。【解決手段】流体の瞬時流量ｑを計測可能な流量計測部３を備え、脈動が小さい場合の第１の計測方式と、脈動が大きいの第２の計測方式を備え、脈動の大小に応じて自動的に計測方式を切り替えることが可能で、瞬時流量ｑを時系列的に計測する計測モードと、瞬時流量ｑを時系列的に計測するとともに脈動判定を行う脈動検知モードでの動作が可能な流量計である。脈動検知モードは、該脈動検知モードでの動作を手動で開始するとともに脈動検知モードでの計測を第１の計測方式で固定するための脈動検知開始手段を備える。【選択図】図１
2012215463.tif 000002
【特許請求の範囲】
【請求項１】
流路を通過する流体の瞬時流量を計測可能な流量計測部を備え、前記流量計測部は脈動が小さい場合に用いられる第１の計測方式と脈動が大きい場合に用いられる第２の計測方式を備え、脈動の大小に応じて自動的に計測方式を切り替えることが可能であって、前記流量計測部により瞬時流量を時系列的に計測する計測モードと、前記流量計測部により瞬時流量を時系列的に計測するとともに脈動判定を行う脈動検知モードでの動作が可能な流量計であって、前記脈動検知モードは、前記脈動検知モードでの動作を手動で開始するとともに前記脈動検知モードでの計測を第１の計測方式で固定するための脈動検知開始手段を備えることを特徴とする流量計。
【請求項２】
前記流量計測部は、瞬時流量を間欠的に計測するものであって、前記脈動判定は、ある時点での瞬時流量とその直前に計測された瞬時流量との差が所定の値を超えた場合に脈動有りと判定し、超えない場合に脈動無しと判定することを特徴とする請求項１記載の流量計。
【請求項３】
前記流量計測部は、瞬時流量を間欠的に計測するものであって、前記脈動判定は、瞬時流量の所定の判定時間内の最大値と最小値との差が所定の値を超えた場合に脈動有りと判定し、超えない場合に脈動無しと判定することを特徴とする請求項１記載の流量計。
【請求項４】
前記脈動検知開始手段として、脈動検知以外の他の用途で操作される操作部と兼用し、前記他の用途で用いられる時の操作方法とは異なる操作方法で脈動検知モードでの動作を開始することを特徴とする請求項１乃至請求項３のいずれか一項に記載の流量計。
【発明の詳細な説明】
【技術分野】
【０００１】
本発明は、ガスのような流体の流量を計測する流量計に関するものである。
【背景技術】
【０００２】
従来より、流体（特に、都市ガスのようなガス）の流量を計測する流量計が用いられているが（例えば特許文献１参照）、流体の流路に接続される機器には、流路内のガスの圧力に変動をもたらすものがある。例えば、ガスヒートポンプやガスエンジンを駆動源とするガス使用機器に接続された流路内に圧力の変動が生じ、この流路内における圧力の変動が流量の変動（脈動）となって流量計での計測値に影響する。
【０００３】
脈動の周波数は、例えばガスヒートポンプやガスエンジンでは１０〜２０Ｈｚ程度、で、ガス機器により異なる周波数となる。この脈動は、配管条件によっては共鳴により増幅される可能性がある。すなわち、ガス機器で発生する脈動の周波数が、配管系の固有の周波数に近い場合、共鳴して脈動の振幅が増幅されるものである。
【０００４】
共鳴により脈動が増幅すると、流量計での計測値に許容範囲以上の誤差が生じる可能性がある。また、脈動による影響を抑える計測モードを備える超音波流量計にあっては、一般的にこのモードは消費電力が大きいため、このモードで計測する比率が高まり、消費電力が増加してしまう。そこで、流量計を設置するにあたり、大きな脈動が発生しているか否かを判定し、大きな脈動が発生していると判定された場合、配管系で共鳴が発生していると判断して、配管系の固有の周波数をガス機器で発生する脈動の周波数から遠ざけて共鳴を抑えることが望まれる。
【０００５】
しかしながら、大きな脈動が発生しているか否かの判定は、ガス器具を設置する設置作業者、または流量計を設置する設置作業者にとって容易に判定することができないものであった。
【先行技術文献】
【特許文献】
【０００６】
【特許文献１】特開２００１−１１９７６３号公報
【発明の概要】
【発明が解決しようとする課題】
【０００７】
本発明は上記の点に鑑みてなされたものであり、その目的とするところは、流量計を設置する際に、所定の大きさの脈動が発生しているか否かを設置作業者が容易に判定することができる流量計を提供することを課題とするものである。
【課題を解決するための手段】
【０００８】
上記課題を解決するために、本発明は、以下のような構成とする。
【０００９】
請求項１に係る流量計にあっては、流路１を通過する流体の瞬時流量ｑを計測可能な流量計測部３を備え、前記流量計測部３は脈動が小さい場合に用いられる第１の計測方式と脈動が大きい場合に用いられる第２の計測方式を備え、脈動の大小に応じて自動的に計測方式を切り替えることが可能であって、前記流量計測部３により瞬時流量ｑを時系列的に計測する計測モードと、前記流量計測部３により瞬時流量ｑを時系列的に計測するとともに脈動判定を行う脈動検知モードでの動作が可能な流量計であって、前記脈動検知モードは、前記脈動検知モードでの動作を手動で開始するとともに前記脈動検知モードでの計測を第１の計測方式で固定するための脈動検知開始手段を備えることを特徴とする。
【００１０】
これにより、設置作業者等の使用者が任意に脈動検知モードでの動作を開始することが可能となり、流量計を設置する際に、所定の大きさの脈動が発生しているか否かを容易に判定することができる。
【００１１】
請求項２に係る発明にあっては、請求項１に係る発明において、前記流量計測部３は、瞬時流量ｑを間欠的に計測するものであって、前記脈動判定は、ある時点での瞬時流量ｑｎとその直前に計測された瞬時流量ｑｎ−１との差（変化幅Δｑｎ）が所定の値Δｑａを超えた場合に脈動有りと判定し、超えない場合に脈動無しと判定することを特徴とする請求項１記載の流量計。
【００１２】
これにより、瞬時流量ｑを間欠的に計測して脈動判定を容易に行うことができる。
【００１３】
請求項３に係る発明にあっては、請求項１に係る発明において、前記流量計測部３は、瞬時流量ｑを間欠的に計測するものであって、前記脈動判定は、瞬時流量ｑの所定の判定時間ｔｃ内の最大値ｑｍａｘと最小値ｑｍｉｎとの差（最大変化幅Δｑｍａｘ）が所定の値Δｑｂを超えた場合に脈動有りと判定し、超えない場合に脈動無しと判定することを特徴とする。
【００１４】
これにより、瞬時流量ｑを間欠的に計測して脈動判定を容易に行うことができる。
【００１５】
請求項４に係る発明にあっては、請求項１乃至請求項３のいずれか一項に係る発明において、脈動検知開始手段として、脈動検知以外の他の用途で操作される操作部と兼用し、前記他の用途で用いられる時の操作方法とは異なる操作方法で脈動検知モードでの動作を開始することを特徴とする。
【００１６】
これにより、専用の操作部を設ける場合と比べて、部品点数の削減、小型化、コスト低減を図ることができる。
【発明の効果】
【００１７】
本発明にあっては、流量計を設置する際に、所定の大きさの脈動が発生しているか否かを使用者が容易に判定することができる。
【図面の簡単な説明】
【００１８】
【図１】本発明の流量計の一実施形態の概略構成図である。
【図２】脈動検知モードの一例のフロー図である。
【図３】脈動検知モードの他例のフロー図である。
【発明を実施するための形態】
【００１９】
以下、本発明の一実施形態について説明する。流量計は、本実施形態では超音波を用いて計測する超音波流量計であるが、計測方法は特に限定されないものであり、また、流体は本実施形態は都市ガスのようなガスであるが、他の流体であってもよく特に限定されない。以下、一実施形態としての超音波流量計について説明する。
【００２０】
超音波流量計は、図１に示すように、流体（ガス）の流路１の適宜箇所に配置され、遮断弁２と流量計測部３とを備えている。流量計測部３は、流路１の上流側と下流側とにそれぞれ超音波の送受波を行う超音波センサ３ａ，３ｂを配置した構成を有する。２個の超音波センサ３ａ，３ｂは、互いに対向するとともに、超音波センサ３ａ，３ｂの間で送受される超音波の進行方向と流体が流路１を通過する方向とが角度θをなして交差するように配置される。両超音波センサ３ａ，３ｂは、制御回路部４に接続される。制御回路部４は、マイクロコンピュータを主構成要素とし、レジスタやタイマー機能を備え、流量計測部３の動作の制御、流量計測部３の出力によるガスの流量の計測（後述する）、流量計測部３の出力に基づく遮断弁２の制御などを行う。ガスの使用量は流量計測部３でのガスの流量の計測結果に基づいて制御回路部４で求められ制御回路部４に接続した液晶表示器からなる表示部５に表示される。
【００２１】
制御回路部４にはＥＥＰＲＯＭのような書換可能な不揮発性のメモリ６が接続される。また、制御回路部４には制御信号によって遮断弁２を駆動する遮断弁駆動回路７、超音波センサ３ａ，３ｂの各一方を駆動して超音波パルスを送波させるとともに他方で受波した超音波パルスの波形整形を行う超音波センサ駆動回路８も接続される。制御回路部４では超音波センサ駆動回路８を介して超音波センサ３ａ，３ｂの送波タイミングを制御しており、送波を指示してから超音波センサ駆動回路８により受波に対応する出力が得られるまでの時間を超音波の伝播時間として求める。
【００２２】
図示する構成の超音波流量計を用いて流量を計測するには、上流側の超音波センサ３ａから下流側の超音波センサ３ｂに向かって超音波を送波したときの超音波の伝播時間ｔ１と、下流側の超音波センサ３ｂから上流側の超音波センサ３ａに向かって超音波を送波したときの超音波の伝播時間ｔ２とを用いる。いま、両超音波センサ３ａ，３ｂの間の距離をｄ、流体の流速をｖ、音速をｃとすると、以下の関係が得られる。
（ｃ＋ｖ・ｃｏｓθ）ｔ１＝ｄ
（ｃ−ｖ・ｃｏｓθ）ｔ２＝ｄ
従って、流速ｖは、
ｖ＝（ｄ／２ｃｏｓθ）｛（１／ｔ１）−（１／ｔ２）｝
のように表すことができる。このように流速ｖを求める方法を伝播時間逆数差法という。ここで、一般に超音波センサ３ａ，３ｂの間の距離ｄは８〜１０〔ｃｍ〕程度に設定され、流路内での音速ｃは約４００〔ｍ／ｓｅｃ〕であるから、伝播時間ｔ１，ｔ２は２００〜２５０〔μｓｅｃ〕程度になる。
【００２３】
このように求めた流速ｖに流路１の断面積Ｓを乗じた値が瞬時流量ｑになる。つまり、瞬時流量ｑは次式で表される。
ｑ＝ｖ・Ｓ
超音波流量計では各超音波センサ３ａ，３ｂをそれぞれ送波側として超音波パルスを１回ずつ送受波する動作が１組の動作になり、少なくとも１組の動作を行えば瞬時流量ｑを求めることができる。また、瞬時流量ｑは一定時間間隔毎に計測され、瞬時流量ｑを求めた時間間隔〔例えば２〜３ｓｅｃ〕を瞬時流量ｑに乗じることによって積算流量Ｑが求められる。このようにして求めた各時間間隔毎の積算流量Ｑを積算した値は流路１を通過した流体の総量（ガスの使用量）に相当する。
【００２４】
ここで、上記のように１個の超音波パルスのみで流速ｖを決定すると十分な計測精度が得られないため、計測精度を高めるためにシングアラウンド法と称される方法により計測処理が行われる場合がある。すなわち、シングアラウンド法においては、受信したらすぐに送信する回路を備え、両超音波センサ３ａ，３ｂのうちの一方から前述の回路を通して複数個の超音波パルスを繰り返して発生させて、複数回分の伝播時間を計測した後、他方から複数個の超音波パルスを繰り返して発生させ、複数回分の伝播時間を計測するものである。例えば、一方の超音波センサ３ａから１００個の超音波パルスを繰り返して発生させて計測した合計伝播時間を個数の１００で除した値が、平均された伝播時間ｔ１となり、その後に他方の超音波センサ３ｂから１００個の超音波パルスを繰り返して発生させて計測した合計伝播時間を個数の１００で除した値が、平均された伝播時間ｔ２となる。各合計伝播時間は２００〜２５０〔μｓｅｃ〕×１００＝２０〜２５〔ｍｓｅｃ〕程度であり、両合計伝播時間を合わせても４０〜５０〔ｍｓｅｃ〕程度であり、瞬時流量ｑを求めるための上記時間間隔（例えば２〜３〔ｓｅｃ〕）内に充分に収まるものである。計測していない時間帯は、マイコンを低消費電力なスリープ状態にすることで消費電力を抑制している。
【００２５】
本発明の流量計は、ガスの流量を上記のように計測する計測モードで長期に亘って計測するのが主であるが、その他に脈動検知モードでの動作が可能であり、また本実施形態では、計測モードが、第１の計測モードおよび第２の計測モードの２種類の計測モードのうちのいずれかが選択されるものである。
【００２６】
第１の計測モードは上記のようなシングアラウンド計測が考えられる。
【００２７】
第２の計測モードは、脈動を平均化するために用いられる。手法はいくつか考えられるが、たとえば、１００回のシングアラウンド計測を一度にせず、１０回シングアラウンド計測して５０ｍｓの遅延時間をおき、また１０回シングアラウンド計測して５０ｍｓの遅延時間をおき、のようなことを繰り返す手法がある。
脈動の周波数が１０Ｈｚであったとき、１周期は１００ｍｓとなり、第１の計測モードでは、波の一部を計測することになる。しかし、第２の計測モードでは、（２００〜２５０〔μｓｅｃ〕×１０＋５０〔ｍｓ〕）×１０＝５２０ｍｓの時間計測していることになり、複数の波を計測することで平均化が可能となる。これを両方向の伝播時間計測に適用するとおおむね１秒近くになり、２秒に１回の計測において、１秒以上、マイコンを低消費電力なスリープ状態できない状態が続くため、第１の計測モードに比して消費電力が増大する。そのため、流路を通過する流体に大きな脈動が生じている場合にのみ第２の計測モードで動作させ、大きな脈動が生じていない場合には第１の計測モードで動作させて消費電力の増加を抑制するのが好ましい。この第１の計測モードと第２の計測モードは、計測モードにおいて脈動判定を行って自動的にいずれかに切り替わる。
【００２８】
脈動検知開始手段としては、専用の操作部を設けてもよいが、本来は脈動検知以外の他の用途で操作される操作部と兼用し、前記他の用途で用いられる時の操作方法とは異なる操作方法で脈動検知モードでの動作を開始するようにしてもよい。
【００２９】
例えば特に図示しないが、他の用途の操作部がいわゆる復帰ボタンである場合、本来の用途である復帰のためには復帰ボタンを一度押し込めばよく押し続ける必要はないため、使用者は復帰する際に復帰ボタンを一度押し込んですぐ離す（これを通常操作とする）。そして、脈動検知開始手段を復帰ボタンと兼用する場合、通常操作とは異なる特殊操作、例えば、２〜４秒長押しするといった操作や、素早く（例えば０．５秒以内等の短い時間内に）二度押し、三度押し等の複数回押しといった操作や、長押しと複数回押しを組み合わせた操作等により、脈動検知モードでの動作を開始するものである。
【００３０】
また、他の用途の操作部を複数組み合わせてもよい。例えば特に図示しないが、他の用途の操作のためのスイッチがある場合、復帰ボタンを上記特殊操作により操作すると共にこのスイッチを作動させることで、脈動検知モードでの動作を開始してもよい。
【００３１】
このように、脈動検知開始以外の他の用途で操作される操作部と兼用することで、専用の操作部を設ける場合と比べて、部品点数の削減、小型化、コスト低減等を図ることができる。
【００３２】
脈動検知モードは、脈動判定待ち受けモードと、脈動判定モードの二段階の動作からなり、図２に示すように、脈動検知開始手段が操作され脈動検知モードが開始されると（Ｓ１）、まず脈動判定待ち受けモードを開始する（Ｓ２）。
【００３３】
脈動判定待ち受けモードは、脈動を平均化しない第１の計測モードで固定して計測されることを特徴とする。これは、脈動の多寡を判断する際、平均化していないほうが好都合だからである。
瞬時流量ｑが所定の最低流量値ｑａを超えているか否かを判定し（Ｓ３）、超えていると脈動判定モードへと移行する（Ｓ７）。なお、脈動判定モードへの移行は、瞬時流量ｑが所定の最低流量値ｑａを超えて所定時間経過した時としてもよい。また、前記所定の最低流量値ｑａは適宜設定されるもので、数値は特に限定されない。
これは器具が使用開始されたことを判別するものである。
【００３４】
（Ｓ３）にて瞬時流量ｑが所定の最低流量値ｑａを超えていない場合には、脈動判定待ち受けモードが開始されてからの経過時間ｔが所定時間ｔａ（例えば１０分）に達しているか否かを判定し（Ｓ４）、経過時間ｔが所定時間ｔａに達していない場合には（Ｓ３）に戻り、瞬時流量ｑが所定の最低流量値ｑａを超えないまま経過時間ｔが所定時間ｔａに達した場合には、表示部５にて脈動判定が行われなかった旨のエラー表示を行って（Ｓ５）、脈動検知モードを終了し（Ｓ６）、計測モードに移行する。前記所定時間ｔａは適宜設定されるもので、数値は特に限定されない。
【００３５】
脈動判定モードは、脈動を平均化しない第１の計測モードで固定して脈動判定を行うもので、本実施形態では瞬時流量ｑの変化幅Δｑを所定の値Δｑａと比較して脈動の有無を判定する脈動判定を行う。すなわち、少なくともある時点での（好ましくは最新の）瞬時流量ｑｎとその直前に計測された瞬時流量ｑｎ−１をレジスタに格納し、ある時点での瞬時流量ｑｎと直前に計測された瞬時流量ｑｎ−１との差（すなわち変化幅Δｑｎ＝｜ｑｎ−ｑｎ−１｜）をとり、変化幅Δｑｎが所定の値Δｑａを超えたか否かを判定する（Ｓ８）。（Ｓ８）にて超えたと判定されると、超えた回数ｍを１カウント増加させ（Ｓ９）、超えた回数ｍが所定時間ｔｂ（例えば２分、５分、１０分）内に所定の回数ｍａ（例えば、２秒に１回であれば２分の所定時間ｔｂは６０回に相当するため、３０回）以上か否かを判定し（Ｓ１０）、超えた回数ｍが所定の回数ｍａに達した場合には、脈動有りと判定して表示部５にて脈動有りを示す表示を行って（Ｓ１１）、脈動検知モードを終了し（Ｓ６）、計測モードに移行する。
【００３６】
（Ｓ１０）にて変化幅Δｑｎが所定の値Δｑａを超える回数ｍが所定の回数ｍａに達していなかった場合と、（Ｓ８）にて変化幅Δｑｎが所定の値Δｑａを超えていなかった場合には、ｑ＞ｑａか否かの判定を行う（Ｓ１２）。すなわち、脈動判定モードで前記所定時間ｔｂが経過するまでにガス機器の使用が停止して、流量が０か極めて少量になった場合に、脈動検知モードを中止するためであり、（Ｓ１２）にてｑ＞ｑａでない場合には、表示部５にて脈動判定が行われなかった旨のエラー表示を行って（Ｓ５）、脈動検知モードを終了する（Ｓ６）。
【００３７】
（Ｓ１２）にてｑ＞ｑａであった場合には、脈動判定待ち受けモードが開始されてからの経過時間ｔが所定時間ｔｂに達しているか否かを判定し（Ｓ１３）、経過時間ｔが所定時間ｔｂに達していない場合には（Ｓ８）に戻り、変化幅Δｑｎが所定の値Δｑａを超える回数ｍが所定時間ｔｂ内に所定の回数ｍａ以上であることがなかった場合には、脈動無しと判定して表示部５にて脈動無しを示す表示を行って（Ｓ１４）、脈動検知モードを終了し（Ｓ６）、計測モードに移行する。前記所定時間ｔｂは適宜設定されるもので、数値は特に限定されないものである。なお、前記「脈動無し」は、脈動が無いものとして扱っても実用上支障がないという意味であり、厳密に脈動が無いことまでは要しない。
【００３８】
また脈動検知モードの他例を図３に示す。本例では、上記例のように（Ｓ８）において瞬時流量ｑの変化幅Δｑを所定の値Δｑａと比較して判定するのではなく、（Ｓ８’）において、所定の判定時間ｔｃ（例えば３０秒）における瞬時流量ｑの最大値ｑｍａｘと最小値ｑｍｉｎとの差（最大変化幅Δｑｍａｘ）を、所定の値Δｑｂと比較するものである。すなわち、前記所定の判定時間ｔｃの間に計測された瞬時流量ｑを全てレジスタに格納して最大値ｑｍａｘと最小値ｑｍｉｎを求めるか、あるいは、最大値ｑｍａｘと最小値ｑｍｉｎとをレジスタに格納して瞬時流量ｑと比較して遂次最大値ｑｍａｘと最小値ｑｍｉｎとを更新する等して、その差の前記最大変化幅Δｑｍａｘを算出し、前記最大変化幅Δｑｍａｘが前記所定の値Δｑｂを超える場合に脈動有りと判定し超えない場合に脈動無しと判定してもよい。前記所定の判定時間ｔｃ及び前記所定の値Δｑｂは適宜設定されるもので、数値は特に限定されない。また、その他のフローは図２と同様であるため、説明を省略する。
【００３９】
設置作業者が機器の設置や流量計の設置を行うにあたり、上述した流量計を用いて、脈動検知モードを動作させて脈動の有無を判定することができる。脈動無しと判定されると、現状の配管系で支障がなくて変更する必要はないが、脈動有りと判定されると、現状の配管系で共鳴しているとみなされるため、共鳴しないように配管系を変更する。例えば、ガスの本管から支管を介して需要箇所に引き込まれてガス使用機器に接続されるが、この配管系においては、ガスの本管の位置にて自由端となりガス使用機器の位置にて固定端となる常在波の周波数（固有周波数とする）が決まる。この固有周波数がガス使用機器の脈動の周波数に近いと、配管系での共鳴により脈動が増大してしまう。このため、支管等の配管長さを変更して固有周波数をガス使用機器の脈動の周波数から遠ざけたり、バッファタンク等の緩衝部を設けたりすることで、流量計での脈動を実用上支障ない程度まで抑制することができる。
【００４０】
本発明においては、流量計を設置する際、所定の大きさの脈動が発生しているか否かを、流量計以外の機器を用いることなく、難しい方法をとることもなく、容易に判定することができる。
【符号の説明】
【００４１】
１  流路
２  遮断弁
３  流量計測部
３ａ  超音波センサ
３ｂ  超音波センサ
４  制御回路部
５  表示部
６  メモリ
【図１】
2012215463.tif 000003
【図２】
2012215463.tif 000004
【図３】
2012215463.tif 000005
【手続補正書】
【提出日】平成23年4月7日(2011.4.7)
【手続補正１】
【補正対象書類名】特許請求の範囲
【補正対象項目名】全文
【補正方法】変更
【補正の内容】
【特許請求の範囲】
【請求項１】
流路を通過する流体の瞬時流量を間欠的に計測する流量計測部を備え、前記流量計測部は脈動が小さい場合に用いられる第１の計測方式と脈動が大きい場合に用いられる第２の計測方式を備え、脈動の大小に応じて自動的に計測方式を切り替えることが可能な流量計であって、前記流量計測部により瞬時流量を時系列的に計測する計測モードと、前記流量計測部により瞬時流量を時系列的に計測するとともに脈動判定を行う脈動検知モードでの動作が可能であり、前記脈動検知モードでの動作を手動で開始するための脈動検知開始手段を備え、前記流量計測部は前記脈動検知モードでの計測を前記第１の計測方式で固定することを特徴とする流量計。
【請求項２】
前記脈動判定は、所定の判定時間内に計測される瞬時流量について、その直前に計測された瞬時流量との差の絶対値が所定の値を超える回数をもとに脈動有りと判定し、超えない場合に脈動無しと判定することを特徴とする請求項１記載の流量計。
【請求項３】
前記脈動判定は、所定の判定時間内に計測される瞬時流量の最大値と最小値との差が所定の値を超えた場合に脈動有りと判定し、超えない場合に脈動無しと判定することを特徴とする請求項１記載の流量計。
【請求項４】
前記脈動検知開始手段として、脈動検知以外の他の用途で操作される操作部と兼用し、前記他の用途で用いられる時の操作方法とは異なる操作方法で脈動検知モードでの動作を開始することを特徴とする請求項１乃至請求項３のいずれか一項に記載の流量計。
【手続補正２】
【補正対象書類名】明細書
【補正対象項目名】０００９
【補正方法】変更
【補正の内容】
【０００９】
請求項１に係る流量計にあっては、流路１を通過する流体の瞬時流量ｑを間欠的に計測する流量計測部３を備え、前記流量計測部３は脈動が小さい場合に用いられる第１の計測方式と脈動が大きい場合に用いられる第２の計測方式を備え、脈動の大小に応じて自動的に計測方式を切り替えることが可能な流量計であって、前記流量計測部３により瞬時流量ｑを時系列的に計測する計測モードと、前記流量計測部３により瞬時流量ｑを時系列的に計測するとともに脈動判定を行う脈動検知モードでの動作が可能であり、前記脈動検知モードでの動作を手動で開始するための脈動検知開始手段を備え、前記流量計測部３は前記脈動検知モードでの計測を前記第１の計測方式で固定することを特徴とする。
【手続補正３】
【補正対象書類名】明細書
【補正対象項目名】００１０
【補正方法】変更
【補正の内容】
【００１０】
これにより、設置作業者等の使用者が任意に脈動検知モードでの動作を開始することが可能となり、流量計を設置する際に、所定の大きさの脈動が発生しているか否かを容易に判定することができる。また、脈動検知モードにおいては、脈動が大きくても、脈動が小さい場合に用いられる第１の計測方式で固定することで、脈動の大きさを正確に把握することができる。
【手続補正４】
【補正対象書類名】明細書
【補正対象項目名】００１１
【補正方法】変更
【補正の内容】
【００１１】
請求項２に係る発明にあっては、請求項１に係る発明において、前記脈動判定は、所定の判定時間内に計測される瞬時流量についてある時点での瞬時流量ｑｎとその直前に計測された瞬時流量ｑｎ−１との差の絶対値（変化幅Δｑｎ）が所定の値Δｑａを超える回数をもとに脈動有りと判定することを特徴とする。
【手続補正５】
【補正対象書類名】明細書
【補正対象項目名】００１２
【補正方法】変更
【補正の内容】
【００１２】
これにより、間欠的に計測される瞬時流量ｑから脈動判定を容易に行うことができる。
【手続補正６】
【補正対象書類名】明細書
【補正対象項目名】００１３
【補正方法】変更
【補正の内容】
【００１３】
請求項３に係る発明にあっては、請求項１に係る発明において、前記脈動判定は、所定の判定時間ｔｃ内に計測される瞬時流量ｑの最大値ｑｍａｘと最小値ｑｍｉｎとの差（最大変化幅Δｑｍａｘ）が所定の値Δｑｂを超えた場合に脈動有りと判定し、超えない場合に脈動無しと判定することを特徴とする。
【手続補正７】
【補正対象書類名】明細書
【補正対象項目名】００１４
【補正方法】変更
【補正の内容】
【００１４】
これにより、間欠的に計測される瞬時流量ｑから脈動判定を容易に行うことができる。
【手続補正８】
【補正対象書類名】明細書
【補正対象項目名】００２７
【補正方法】変更
【補正の内容】
【００２７】
第２の計測モードは、脈動を平均化するために用いられる。手法はいくつか考えられるが、たとえば、１００回のシングアラウンド計測を一度にせず、１０回シングアラウンド計測して５０ｍｓの遅延時間をおき、また１０回シングアラウンド計測して５０ｍｓの遅延時間をおき、のようなことを繰り返す手法がある。
脈動の周波数が１０Ｈｚであったとき、１周期は１００ｍｓとなり、第１の計測モードでは、波の一部を計測することになる。しかし、第２の計測モードでは、（２００〜２５０〔μｓｅｃ〕×１０＋５０〔ｍｓ〕）×１０＝５２０ｍｓの時間計測していることになり、複数の波を計測することで平均化が可能となる。これを両方向の伝播時間計測に適用するとおおむね１秒近くになり、２秒に１回の計測において、１秒以上、マイコンを低消費電力なスリープ状態できない状態が続くため、第１の計測モードに比して消費電力が増大する。そのため、流路を通過する流体に大きな脈動が生じている場合にのみ第２の計測モードで動作させ、大きな脈動が生じていない場合には第１の計測モードで動作させて消費電力の増加を抑制するのが好ましい。この第１の計測モードと第２の計測モードは、計測モードにおいて脈動判定を行って自動的にいずれかに切り替わる。
なお、第１の計測モードと第２の計測モードをいずれも前述の第２の計測モードのような動作とし、シングアラウンドの回数や遅延時間の長さを変えることで実現してもよい。